(57)【要約】【課題】電子機器の薄型化、軽量化を実現しつつ、電子機器全体の機械的強度を満足すべきものにする構造の提供を課題とする。【解決手段】当該薄型電子機器筐体の内部に配置されて構造部材として機能する金属製シャーシとからなり、該金属製シャーシが薄型電子機器筐体の主面と略同じ外形を有し、その両面に電子部品を配置するシャーシ平面部とシャーシ平面部の外周部の全部又は一部に配置されてシャーシ平面部の剛性を高める側壁部とを有する電子機器を提供する。【選択図】図５
2007318006.tif 000002
【特許請求の範囲】
【請求項１】
薄型電子機器筐体と、
前記薄型電子機器筐体の内部に配置されて構造部材として機能する金属製シャーシと、からなる電子機器であって、
前記金属製シャーシは、
前記薄型電子機器筐体の主面と略同じ外形を有し、その両面に電子部品を配置するシャーシ平面部と、
シャーシ平面部の外周部の全部又は一部に配置されてシャーシ平面部の剛性を高める側壁部と、
を有する電子機器。
【請求項２】
金属製シャーシは、アルミニウム、チタン、又はマグネシウムのいずれか一以上を含む軽量合金性である請求項１に記載の電子機器。
【請求項３】
側壁部は、二重側壁を含む請求項１又は２に記載の電子機器。
【請求項４】
側壁部は、シャーシ平面に対して両側に凸に形成されている両側側壁を有する請求項１から３のいずれか一に記載の電子機器。
【請求項５】
金属製シャーシは、全体として平板状である請求項１から４のいずれか一に記載の電子機器。
【請求項６】
前記金属製シャーシのシャーシ平面部は、縦サイズが１０ｃｍから２０ｃｍの範囲内、及び横サイズが２０ｃｍから４０ｃｍの範囲内にあるとき、その厚みが０．３５ｍｍから０．６５ｍｍの範囲内である請求項５に記載の電子機器。
【請求項７】
側壁の高さはシャーシ平面から３ｍｍないし１５ｍｍである請求項６に記載の電子機器。
【請求項８】
請求項１から７のいずれか一に記載の金属製シャーシ。
【発明の詳細な説明】
【技術分野】
【０００１】
本発明は、薄型電子機器の機械的強度を保持する構造に関する。
【背景技術】
【０００２】
従来、電子機器の機械的強度は筐体を構造部材として機能させることで確保していた。すなわち、筐体自身が機械的強度を有することで電子機器の形状を保持し、内部の電子部品を押圧や衝撃、ねじれ等の外力から保護していた。しかし、近年、電子機器の薄型化や軽量化に伴って筐体の一層の薄肉化が求められるようになり、筐体の機械的強度を低くせざるを得なくなっている。その結果、電子機器の機械的強度を確保するという目的を達成することがますます困難となってきている。この傾向は特に携帯型・可搬型電子機器で顕著である。一方で、当該電子機器は、落下、圧迫、打撃等の外力の影響を受け易いため、耐衝撃性等の機械的強度は必須の要素となっている。このような相反する問題の解決を目的として、以下のような発明が知られている。
【０００３】
特許文献１は、液晶パネル、反射板とランプを支持するダイキャストフレームを設けることで、液晶表示装置全体の軽量化を図る発明である。
【０００４】
特許文献２は、背面筐体の平面部に溝又は段差を複数設け、かつ、溝又は段差の間隔を従来に比べ狭くするとともにそこに形成される空間に表示装置の制御回路基盤を配置することで、外力に強く、液晶表示装置と背面筐体との間に配置されたインバータなどの制御回路基板や液晶表示装置内にある部品を保護することが可能な表示装置構造を提供する発明である。
【０００５】
特許文献３は、略矩形状の平面部を有する筐体を溶融による金属成型品とし、成型時に１辺側の湯口から対抗する他辺に向かって溶融金属の湯流れ方向に対し略平行な段差を設け、平面部の中央部を凸状に隆起させるようにすることで、筐体の肉厚を薄くし、かつ、金属成型部品作成時の成形性を悪化させることなく、外力に対して高い耐久力を有し、より軽量な携帯型情報処理装置を提供する発明である。
【特許文献１】特開２００４−３３４２９９
【特許文献２】特開２００４−３２５８４４
【特許文献３】特開２００３−２０４１７４
【発明の開示】
【発明が解決しようとする課題】
【０００６】
しかし、上記発明は液晶表示装置の液晶表示部のみの機械的強度を高める技術、あるいは筐体の機械的強度を高める技術である。また、内部の電子部品は、筐体に直接、若しくは他の電子部品を介して間接的に固定されている。すなわち、いずれの技術も依然、筐体が電子機器全体における構造部材として中心的な機能を果たしていることに変わりはない。したがって、電子機器の薄型化、軽量化を達成するために、機械的強度を保持したままで筐体を薄肉化させるには限界があった。
【０００７】
そこで、本件発明は電子機器の薄型化、軽量化を実現しつつ、電子機器全体の機械的強度を満足すべきものにする構造を提供する点にある。
【課題を解決するための手段】
【０００８】
上記課題を解決するために、本発明の電子機器は、筐体を薄型化し、さらに筐体の薄肉化を図るとともに、電子機器の機械的強度の確保を筐体のみならず筐体内部に配置する平板状の金属シャーシによって実現した。すなわち、本発明は以下に示す電子機器を提供するものである。本願の第一の発明は、薄型電子機器筐体と当該薄型電子機器筐体の内部に配置されて構造部材として機能する金属製シャーシとからなる電子機器であって、前記金属製シャーシが前記薄型電子機器筐体の主面と略同じ外形を有し、その両面に電子部品を配置するシャーシ平面部とシャーシ平面部の外周部の全部又は一部に配置されてシャーシ平面部の剛性を高める側壁部とを有する電子機器を提供することである。また、本願の第二の発明は、前記金属製シャーシがアルミニウム、チタン、又はマグネシウムのいずれか一以上を含む軽量合金性であることを特徴とする電子機器を提供することである。また、本願の第三の発明は、側壁部が二重側壁を含むことを特徴とする電子機器を提供することである。また、本願の第四の発明は、側壁部がシャーシ平面に対して両側に凸に形成されている両側側壁を有することを特徴とする電子機器を提供することである。また、本願の第五の発明は、前記金属製シャーシが、全体として平板状であることを特徴とする電子機器を提供することである。また、本願の第六の発明は、前記金属製シャーシの平面部は、縦サイズが１０ｃｍから２０ｃｍの範囲内、及び横サイズが２０ｃｍから４０ｃｍの範囲内にあるとき、その厚みが０．３５ｍｍから０．６５ｍｍの範囲内であることを特徴とする電子機器を提供することである。さらに、本願の第七の発明は、側壁の高さがシャーシ平面から３ｍｍないし１５ｍｍであることを特徴とする電子機器を提供することである。そして、本願の第八の発明は、前記いずれか一の電子機器に記載の金属製シャーシを提供することである。
【発明の効果】
【０００９】
本発明の電子機器によれば、薄型電子機器筐体内部に配置される金属製シャーシによって電子機器全体の機械的強度と剛性を確保することができる。また、内部の電子部品は当該金属製シャーシに配置され、固定されるため、電子機器の強度や耐衝撃性を保持した状態での筐体の薄肉化が可能となる。これらの効果によって、全体の機械的強度を確保しつつ、電子機器の一層の薄型化、軽量化を実現できる。
【発明を実施するための最良の形態】
【００１０】
以下に、図を用いて各発明を実施するための最良の形態を説明する。なお、本発明はこれらの実施の形態に何ら限定されるものではなく、その要旨を逸脱しない範囲において、種々なる態様で実施しうる。
【００１１】
<概要>  本発明は、構造部材として機能する金属製シャーシを薄型電子機器筐体内部に配置する電子機器に関する。当該金属製シャーシによって筐体の機械的強度のみに依存することなく電子機器全体の機械的強度を保持できる。また、内部の電子部品は、金属製シャーシに配置され、固定されるため電子機器の強度や耐衝撃性を保持した状態での筐体の薄肉化が可能となる。これにより電子機器の一層の薄型化、軽量化を達成することができる。
【００１２】
<構成>  本発明の電子機器として、本願では図１に示すような可搬性薄型液晶ディスプレイ装置を例に挙げて説明を行う。図２及び図３は、本発明の電子機器の構成を説明するために図１で示した可搬性薄型液晶ディスプレイ装置を分解したときの前面斜視分解図と、背面斜視分解図と、をそれぞれ示している。これらの分解図で示すように、本発明の電子機器（０１００、０２００、０３００）は、薄型電子機器筐体（０２０１、０３０１）と金属製シャーシ（０２０２、０３０２）とからなり、金属製シャーシは電子部品である液晶ディスプレイユニット（０２０３、０３０３）、基板（０２０４、０３０４）、バッテリーケース（０２０５、０３０５）等をその両面に配置し、固定している。また、図４は、当該金属製シャーシ（０４００）を示したもので、斜視全体図（ａ）と、（ａ）の線Ｘ１−Ｘ１’で垂直方向に切断したときに矢印で示すＹ方向から見た断面図（ｂ）、さらに（ｂ）において破線円で示す領域の拡大図（ｃ）を示している。前記金属製シャーシは、（ａ）において斜線領域で示すシャーシ平面部（０４０１）とその外周にある側壁部（０４０２）とを有している。以下、各構成要素について説明をする。
【００１３】
「電子機器」（０２００）とは、基板等の電子部品を筐体内部に配置した装置をいう。例えば、ディスプレイ装置、ハードディスク、ノートパソコン、ＵＭＰＣ（Ｕｌｔｒａ−Ｍｏｂｉｌｅ  ＰＣ）、ＰＤＡ（Ｐｅｒｓｏｎａｌ  Ｄｉｇｉｔａｌ  Ａｓｓｉｓｔａｎｔｓ）、携帯電話、ポータブルプレーヤー、デジタルカメラ、電子辞書、電子ブック、ＩＣレコーダー、スピーカー、腕時計などが挙げられる。
【００１４】
「薄型電子機器筐体」（０２０１）とは、電子部品を内部に収納する薄型の箱体である。「電子部品」とは、基板、ディスプレイユニット、スピーカーの電子関連部品に限らず、バッテリーケース、端子等、電子機器の機能上必要となる主要な内部部品を指す。また、ここでいう「薄型」とは、筐体の縦横高比によって定まる概念である。すなわち、筐体の縦、横、高さの比をそれぞれａ、ｂ、ｃとするとき、ａ>ｃ、かつ、ｂ>ｃの関係にある電子機器筐体が薄型電子機器筐体に該当する。このとき高さｃが薄型電子機器筐体の厚さに相当する。当該厚さサイズは薄型電子機器筐体のサイズや電子機器の種類によって異なる。一般的には大型電子機器筐体ほど当該厚さサイズは大きくなる。例えば、ディスプレイ装置等の大中型電子機器の筐体であれば厚さサイズが１ｃｍ以上１５ｃｍ以下、ノートパソコンのような中型の器電子機の筐体であれば厚さサイズが５ｍｍ以上４ｃｍ以下、また、携帯電話、ポータブルプレーヤー、デジタルカメラなどの小型電子機器の筐体であれば厚さサイズが２ｍｍ以上１．５ｃｍ以下、の場合がここでいう「薄型」に該当する。より具体的な一例を挙げれば、薄型電子機器筐体の縦サイズが１０ｃｍから２０ｃｍの範囲内、及び横サイズが２０ｃｍから４０ｃｍの範囲内にあるとき、その厚さサイズが８ｍｍから２ｃｍの範囲内にあるものは、薄型電子機器筐体として挙げることができる。
【００１５】
本発明の薄型電子機器筐体は、電子機器における構造部材としての機能を必ずしも有さずともよい。また、基板やディスプレイパネルなどの電子部品を配置する必要もない。これは、後述する金属製シャーシが従来の筐体に代わる機能を有しているためである。
【００１６】
「金属製シャーシ」（０２０２）とは、本発明の電子機器において構造部材として機能する最も重要な部材であって、前記薄型電子機器筐体の内部に配置されるように構成されている。「構造部材」とは、外力による電子機器の全部又は一部の変形、破壊を阻止することを目的として配置される部材である。また、電子機器に対して外部から加えられる曲げモーメント、衝撃、せん断力に対して低い変形能を有する単一の部材である。本発明における電子機器において構造部材は複数存在していてもよいが、その場合、当該金属製シャーシは前記外力に対して構造部材中最も低い変形能を有する。したがって、薄型化、軽量化の観点から本発明の電子機器において最も好ましい形は、樹脂製の薄型電子機器筐体内に一の金属製シャーシが配置され、当該金属製シャーシに支持されるようにその両面に電子部品が配置されていることである。
【００１７】
従来の電子機器においても、薄型化、軽量化に伴う電子機器の機械的強度の低下に対する対応策として一部の内部電子部品の機械的強度を高める部材はあった。例えば、図１４に示す液晶ディスプレイ装置が挙げられる。（ａ）では、液晶ディスプレイ装置において前部筐体（１４０１）と分解されたディスプレイユニット（１４０２）を当該装置の背面側から見た時を示している。（ｂ）は組み立てられたディスプレイユニットを前部筐体に配置する前を、また（ｃ）はそれを配置した後をそれぞれ示している。（ａ）で示すように、ディスプレイユニット（１４０２）は、ディスプレイ用フロントベゼル（１４０３）、ディスプレイパネル（１４０４）、シート（１４０５）、ディスプレイシャーシ（１４０６）等で構成されている。ここで、ディスプレイシャーシ（１４０６）は、当該ディスプレイユニットの構造部材として機能する。しかしながら、ディスプレイシャーシが機械的強度を付与するのは、ディスプレイユニット、及び図示しない当該ディスプレイシャーシ上に配置され、固定された基板等に限られる。実際、（ｃ）で示すように、当該ディスプレイユニットが前部筐体に配置され、固定された場合、前部筐体の斜線で示す領域への破壊力に対する抵抗は、筐体自身の機械的強度になさざるを得なかった。しかし、本発明の金属製シャーシは、筐体内部に配置される点においては図１４で示す従来の電子機器と同様であるが、電子機器全体に対して機械的強度を付与する構造部材として筐体の主面と略同じ外形である点において新しい。当該金属製シャーシは、図４（ａ）の斜線領域で示すシャーシ平面部（０４０１）と、その周囲にある側壁部（０４０２）と、から構成される。
【００１８】
「シャーシ平面部」（０４０１）とは、前記薄型電子機器筐体の主面と略同じ外形を有し、その両面に電子部品を配置し、固定するように構成され、金属製シャーシの主領域をなす。
【００１９】
「略同じ外形」とは、当該金属製シャーシが電子機器全体の形状を保持し、また構造部材として機能する上で要求される形状を言う。すなわち、電子機器に様々な方向から外力が加わった際に、薄型電子機器筐体上で最も強い応力を受けた場所の変形、破壊を阻止できる外形をいう。金属シャーシは、シャーシ平面部が薄型電子機器筐体の主面と略同じ外形であることによって、電子機器全体に機械的強度を付与できる。
【００２０】
ここで、「略同じ外形」の意義について図５を例に挙げて具体的に説明をする。この図において、（ａ）は可搬性薄型液晶ディスプレイ装置の薄型電子機器筐体正面を、（ｂ）は（ａ）の薄型電子機器筐体内部に配置される金属製シャーシをそれぞれ等倍率で示している。この金属製シャーシは薄型電子機器筐体の主面と略同じ外形を有している代表例である。また、（ａ）の斜線領域は、（ｂ）の金属製シャーシが当該薄型電子機器筐体内に配置された時の位置を示している。図５では、（ｂ）で示す金属製シャーシ（０５００）の破線枠内のシャーシ平面部（０５０１）は略矩形であり、また薄型電子機器筐体の主面は矩形であることから両者は完全には相似関係にない。このように金属製シャーシのシャーシ平面部の形状が薄型電子機器筐体の形状と異なる形状であったとしても両者の関係は本件発明にいうところの「略同じ外形」の関係にある。また、金属製シャーシのシャーシ平面部の大きさは、薄型電子機器筐体の機械的強度に応じて変動する。例えば、薄型電子機器筐体が薄肉化されることで曲げ、衝撃等の外力に対する筐体自身の機械的強度が相対的に小さくなる場合には、当該シャーシ平面部の大きさは薄型電子機器筐体の大きさに相対的に近づく。つまり、図５（ａ）では、薄型電子機器筐体が金属製シャーシから張り出す部分、すなわち斜線領域外の幅Ｗの値は減少する。当該減少する理由を図６を用いて説明する。図６は、図５（ａ）における破線円の断面拡大図を示している。Ｗは、図５（ａ）と同様、金属製シャーシ（０６０３）の端部（０６０４）から薄型電子機器筐体（０６０１）の端部０６０６）までの幅（長さ）を示す。また、薄型電子機器筐体（０６０１）において、図５（ａ）における斜線領域外の領域に相当する図６の点領域（０６０２）に対して法線方向からの外力Ｖが加わった場合、金属製シャーシ（０６０３）の端部（０６０４）と当該端部上にある薄型電子機器筐体（０６０５）に最大の応力が働く。この場合、薄型電子機器筐体に発生する曲げモーメントは、外力Ｖが薄型電子機器筐体の端部（０６０６）に働くときに最大値Ｗ×Ｖとなる。薄型電子機器筐体の変形、破壊を外力Ｖから阻止するためには当該曲げモーメントＷ×Ｖを小さくする必要があるが、そのためには幅Ｗの値を小さくすればよい。それゆえ、薄型電子機器筐体の機械的強度が小さい場合には幅Ｗの値が減少することとなる。
【００２１】
従来の電子機器では、図１４（ｃ）で示す液晶ディスプレイ装置のように、主要な内部の電子部品であるディスプレイユニット（１４０２）等は筐体（１４０１）に直接配置され、ビス等によって固定されていた。つまり、電子機器において筐体がこれらの電子部品を支持していた。したがって、曲げ、ねじれ、衝撃等の外力に対する電子部品の破壊の阻止は、筐体の機械的強度に依るところが大きかった。ところが、本発明の電子機器では、図２、図３で示すように内部の電子部品は金属製シャーシ（０２０２、０３０２）の斜線領域で示すシャーシ平面部（０２０６、０３０６）の両面に配置され、固定される。つまり、本発明の電子機器においては金属製シャーシが電子部品を支持している。したがって、外力による電子部品の破壊阻止は当該金属製シャーシの機械的強度に依存することとなり、薄型電子機器筐体は従来の電子機器のように内部の電子部品を支持する必要はない。さらに、薄型電子機器筐体は金属製シャーシを内部に配置するが、当該金属製シャーシを支持する必要もなく、単に外装部材として機能すればよい。それゆえ、薄型電子機器筐体は、当該金属製シャーシに支持されるように固定されてもよい。あるいは、金属製シャーシを共締め等によって固定することなく、金属製シャーシが内部で動かない程度に前後の筐体で挟み込むようにしてもよい。
【００２２】
シャーシ平面部は、図５で示すように、必要に応じてビス穴（０５０３）、配線用穴（０５０４）、部材取付け用穴（０５０５）などの孔を有していても構わない。シャーシ平面部の厚さは、その全領域が同一である必要はない。また、本発明の目的を鑑みれば、当該厚さは、薄いほど好ましい。ただし、最低限構造部材としての機械的強度を保持するため所定の厚さは必要である。当該厚さはシャーシ平面部のサイズ、金属製シャーシの素材、シャーシ平面の形状等で変動するため、それに応じて適宜定める。例えば、図７で示すようにシャーシ平面部が、縦サイズＡが１０ｃｍから２０ｃｍの範囲内、及び横サイズＢが２０ｃｍから４０ｃｍの範囲内にあるときは、その厚みＣが０．３５ｍｍから０．６５ｍｍの範囲内であることが好ましい。なお、ここでいう厚みとは、シャーシ平面部において最も主要な領域の厚さを指す。
【００２３】
「側壁部」（０４０２）とは、シャーシ平面部の外周部の全部又は一部に配置されてシャーシ平面部の剛性を高めるように構成されている。金属製シャーシにおいて主領域を占めるシャーシ平面部は通常平板状であるために、曲げやねじれの外力に対して抵抗する機械的強度に欠けるという問題がある。そこで、その外周部に縁となる側壁部を設けることで機械的強度を強化し、当該問題を解決する。側壁部は、金属製シャーシの一方の面のみに配置された片側側壁であっても、また、両面に配置された両側側壁であってもよい。側壁部が片側側壁の場合は、外周部の全部に配置することが好ましい。これは、曲げやねじれの外力に対して十分に抵抗し得る機械的強度を付与するためである。同様に、側壁部が両側側壁で、外周部の一部に配置される場合には、両側側壁が配置されない箇所には片側側壁が配置されることが好ましい。また、側壁部の形状は、外周部がシャーシ平面に対して凸に形成されていればよく、その形状については特に問わない。例えば、片側側壁の場合であれば、図８の断面図で示すようなシャーシ平面に対して一方の側のみに凸に形成されたＬ字形状（０８０１）や、図９の断面図で示すような一方の側が凸に形成され、対応する他方の側が凹に形成された変形Ｌ字形状（０９０１）などが挙げられる。また、両側側壁の場合であれば、図１０で示すようなシャーシ平面に対して両側に同様の形状で凸に形成されるもの（１００１）や、図１１で示すような一方の側がＬ字形状の凸（１１０１）で他方の側が幅広で高さの無い隆起形状の凸（１１０２）に形成される表裏で異なる形状などが挙げられる。機械的強度を高めるために、側壁部は二重側壁を含むようにしてもよい。「二重側壁」とは、側壁部が一方の面の外周部で二重に形成されていることをいう。例えば、図１２で示すように外側の側壁部（１２０１）と内側の側壁部（１２０２）によって形成される場合が該当する。二重側壁を形成する２つの側壁部は、図１２で示すように同一形状である必要はない。また、三重側壁以上は「二重側壁を含む」ことから当然に該当する。二重側壁を含む場合には、機械的強度をより一層強化するために各側壁をリブなどで連結してもよい。例えば、図１３の断面図で示すように、三重側壁（１３０１）の各側壁部がリブ（１３０２）等によって連結される場合などが該当する。なお、側壁部はマシニングセンター等による切削加工、またはプレス絞り加工によって作製されることが望ましい。
【００２４】
側壁部の高さは、電子機器の厚さに応じて定まる。金属製シャーシの厚さは、原則として電子機器筐体の厚さを越えないことから、図１０で示すように、電子機器の厚さサイズをＨ、金属製シャーシのシャーシ平面部の厚さをＣ、側壁部の高さサイズをｈ（ｈ＝ｈ１＋ｈ２）とするとき、Ｈ≧Ｃ＋ｈの関係にある。例えば、図７で示すように、縦サイズＡが１０ｃｍから２０ｃｍの範囲内、横サイズＢが２０ｃｍから４０ｃｍの範囲内、及びその厚みＣが０．３５ｍｍから０．６５ｍｍの範囲内にあるようなシャーシ平面部が、図１で示す可搬性薄型液晶ディスプレイ装置内部に配置される時、当該可搬性薄型液晶ディスプレイ装置の厚さサイズが１６ｍｍであれば、当該金属製シャーシの側壁の高さサイズはシャーシ平面から３ｍｍないし１５．３５ｍｍの範囲内にあればよい。
【００２５】
金属製シャーシの素材は、一定の形状を保持可能な剛性を有する金属であればよい。好ましくは、アルミニウム、チタン、又はマグネシウムのいずれか一以上を含む軽量合金製である。これらの金属は、いずれも比重が小さいことから電子機器の軽量化という本発明の目的に資するためである。金属製シャーシの素材として金属が好ましい理由は、金属は熱伝導性が高いことから筐体内部で発生した熱を拡散させやすいこと、電磁波のシールド効果を有すること、リサイクルが可能なこと等の理由による。ただし、本発明の金属製シャーシにおいて最も重要な機能は、電子機器に曲げ、ねじれ、衝撃などの外力に対して抵抗できる機械的強度を付与し、外力による当該電子機器の全部、又は一部の変形や破壊を阻止することである。したがって、金属製シャーシは当該機能を有する素材であれば金属以外であっても構わない。当該金属以外の素材としては、例えば、繊維強化プラスチック（ＦＲＰ）、構造用ファインセラミックス等が挙げられる。金属製シャーシは、自身の剛性を高める目的や他部材を配置する必要性から、シャーシ平面にエンボス加工や突出部等の凹凸を有していてもよい。ただし、当該凹凸を有する場合であっても、全体として平板上であることが好ましい。
【００２６】
金属製シャーシは、薄型電子機器筐体の内部に配置されるため、通常電子機器の組立後には外部から視認できない。ただし、筐体に設けられた孔若しくは前部・後部筐体の接合部等から、その一部が露呈していても構わない。
【００２７】
金属製シャーシによって、電子機器全体の機械的強度を確保しながら、従来の電気機器に最低限必要とされていた筐体の機械的強度をさらに低下することが可能となる。つまり、薄型電子機器筐体の肉厚を一層削減することができるため、電子機器のさらなる薄型化、軽量化が可能となる。
【図面の簡単な説明】
【００２８】
【図１】本発明の電子機器の一例である可搬性薄型液晶ディスプレイ装置の前面斜視全体図
【図２】本発明の電子機器の一例である可搬性薄型液晶ディスプレイ装置の前面斜視分解図
【図３】本発明の電子機器の一例である可搬性薄型液晶ディスプレイ装置の背面斜視分解図
【図４】本発明の電子機器における金属製シャーシの構造を説明する図：（ａ）斜視全体図、（ｂ）断面図、（ｃ）拡大図
【図５】本発明の電子機器における金属製シャーシの正面図（ａ）と、それに対応する薄型電子機器筐体（ｂ）
【図６】曲げモーメントを説明するための図５（ａ）における破線円内の断面拡大図
【図７】本発明の金属製シャーシにおけるシャーシ平面部のサイズを説明する図
【図８】シャーシ平面に対して一方の側のみに凸に形成されたＬ字形状の片側側壁部を説明する図
【図９】シャーシ平面に対して一方の側が凸に形成され、対応する他方の側が凹に形成された変形Ｌ字形状の片側側壁部を説明する図
【図１０】シャーシ平面に対して両側に凸に形成されている両側側壁を説明する図
【図１１】側壁部が両側で異なる形状の両側側壁を説明する図
【図１２】二重側壁を説明する図
【図１３】三重側壁を説明する図
【図１４】従来の薄型液晶ディスプレイ装置において、一部の内部電子部品の機械的強度を高める部材を説明する図
【符号の説明】
【００２９】
０５００：金属製シャーシ
０５０１：シャーシ平面部
０５０２：側壁部
０５０６：薄型電子機器筐体
Ｗ：薄型電子機器筐体が金属製シャーシから張り出す部分の幅
【図１】
2007318006.tif 000003
【図２】
2007318006.tif 000004
【図３】
2007318006.tif 000005
【図４】
2007318006.tif 000006
【図５】
2007318006.tif 000007
【図６】
2007318006.tif 000008
【図７】
2007318006.tif 000009
【図８】
2007318006.tif 000010
【図９】
2007318006.tif 000011
【図１０】
2007318006.tif 000012
【図１１】
2007318006.tif 000013
【図１２】
2007318006.tif 000014
【図１３】
2007318006.tif 000015
【図１４】
2007318006.tif 000016